(57)【要約】【課題】いつでも迅速に商品の売買を行うことができる商品代金支払システム、商品代金支払方法および商品代金支払プログラムを提供する。【解決手段】購入者の識別番号、パスワードおよび支払限度額の情報、ならびに販売者の識別番号を記憶しておく。購入者端末３から識別番号およびパスワードを取得し、記憶している識別番号およびパスワードと照合する。購入者に購入商品の代金および販売者情報の入力を依頼し、購入者端末３からその各情報を取得する。記憶している支払限度額の情報に基づいて、購入商品の代金を支払可能か否かを判断する。支払可能と判断したとき、取得した販売者情報を、記憶している販売者情報と照合する。販売者端末４に支払可能情報を送信後、購入者に購入商品を引き渡した旨を販売者端末４から取得する。購入商品の代金を販売者に支払った後、その代金の請求情報を購入者端末３に送信する。【選択図】図１
2006031401.tif 000002
【特許請求の範囲】
【請求項１】
購入者端末と販売者端末とが接続される通信ネットワークを介して購入商品の代金の支払を行うための商品代金支払システムであって、
前記購入者端末に対応する購入者の識別番号、パスワードおよび支払可能条件に関する情報を含む購入者情報を記憶する購入者情報記憶手段と、
前記販売者端末に対応する販売者の識別番号を含む販売者情報を記憶する販売者情報記憶手段と、
前記購入者端末から識別番号およびパスワードの識別情報を取得する識別情報取得手段と、
前記識別情報取得手段で取得された識別情報を前記購入者情報記憶手段で記憶された購入者情報の識別番号およびパスワードと照合する購入者照合手段と、
前記購入者照合手段で照合された識別番号およびパスワードに対応する前記購入者端末に、購入商品の代金および販売者情報を含む商品購入情報を入力するよう依頼する入力依頼情報を送信する入力依頼送信手段と、
前記入力依頼送信手段で送信された入力依頼情報に応じて、前記購入者端末から前記商品購入情報を取得する商品情報取得手段と、
前記購入者端末に対応する前記購入者情報記憶手段で記憶された購入者情報の支払可能条件に関する情報に基づいて、前記商品情報取得手段で取得された商品購入情報の購入商品の代金を支払可能か否かを判断する支払可能判断手段と、
前記支払可能判断手段が支払可能と判断したとき、前記商品情報取得手段で取得された商品購入情報の販売者情報を前記販売者情報記憶手段で記憶された販売者情報と照合する販売者照合手段と、
前記販売者照合手段で照合された販売者情報に対応する前記販売者端末に支払可能情報を送信する支払可能送信手段と、
前記支払可能送信手段が支払可能情報を送信後、前記購入者端末に対応する購入者に前記購入商品を引き渡した旨の商品引渡情報を前記販売者端末から取得する引渡情報取得手段と、
前記引渡情報取得手段で取得された商品引渡情報に対応する前記購入商品の代金を前記販売者端末に対応する販売者に支払った後、その代金の請求情報を前記購入者端末に送信する代金請求送信手段とを有することを、
特徴とする商品代金支払システム。
【請求項２】
前記購入者端末は携帯電話から成り、
前記購入者端末に対応する購入者の識別番号は前記携帯電話の電話番号から成ることを、
特徴とする請求項１記載の商品代金支払システム。
【請求項３】
購入者端末と販売者端末とが接続される通信ネットワークを介して購入商品の代金の支払を行うための商品代金支払方法であって、
前記購入者端末に対応する購入者の識別番号、パスワードおよび支払可能条件に関する情報を含む購入者情報を記憶する購入者情報記憶ステップと、
前記販売者端末に対応する販売者の識別番号を含む販売者情報を記憶する販売者情報記憶ステップと、
前記購入者端末から識別番号およびパスワードの識別情報を取得する識別情報取得ステップと、
前記識別情報取得ステップで取得された識別情報を前記購入者情報記憶ステップで記憶された購入者情報の識別番号およびパスワードと照合する購入者照合ステップと、
前記購入者照合ステップで照合された識別番号およびパスワードに対応する前記購入者端末に、購入商品の代金および販売者情報を含む商品購入情報を入力するよう依頼する入力依頼情報を送信する入力依頼送信ステップと、
前記入力依頼送信ステップで送信された入力依頼情報に応じて、前記購入者端末から前記商品購入情報を取得する商品情報取得ステップと、
前記購入者端末に対応する前記購入者情報記憶ステップで記憶された購入者情報の支払可能条件に関する情報に基づいて、前記商品情報取得ステップで取得された商品購入情報の購入商品の代金を支払可能か否かを判断する支払可能判断ステップと、
前記支払可能判断ステップが支払可能と判断したとき、前記商品情報取得ステップで取得された商品購入情報の販売者情報を前記販売者情報記憶ステップで記憶された販売者情報と照合する販売者照合ステップと、
前記販売者照合ステップで照合された販売者情報に対応する前記販売者端末に支払可能情報を送信する支払可能送信ステップと、
前記支払可能送信ステップが支払可能情報を送信後、前記購入者端末に対応する購入者に前記購入商品を引き渡した旨の商品引渡情報を前記販売者端末から取得する引渡情報取得ステップと、
前記引渡情報取得ステップで取得された商品引渡情報に対応する前記購入商品の代金を前記販売者端末に対応する販売者に支払った後、その代金の請求情報を前記購入者端末に送信する代金請求送信ステップとを有することを、
特徴とする商品代金支払方法。
【請求項４】
購入者端末と販売者端末とが接続される通信ネットワークを介して購入商品の代金の支払を行うための商品代金支払プログラムであって、
コンピュータを
前記購入者端末に対応する購入者の識別番号、パスワードおよび支払可能条件に関する情報を含む購入者情報を記憶する購入者情報記憶手段、
前記販売者端末に対応する販売者の識別番号を含む販売者情報を記憶する販売者情報記憶手段、
前記購入者端末から識別番号およびパスワードの識別情報を取得する識別情報取得手段、
前記識別情報取得手段で取得された識別情報を前記購入者情報記憶手段で記憶された購入者情報の識別番号およびパスワードと照合する購入者照合手段、
前記購入者照合手段で照合された識別番号およびパスワードに対応する前記購入者端末に、購入商品の代金および販売者情報を含む商品購入情報を入力するよう依頼する入力依頼情報を送信する入力依頼送信手段、
前記入力依頼送信手段で送信された入力依頼情報に応じて、前記購入者端末から前記商品購入情報を取得する商品情報取得手段、
前記購入者端末に対応する前記購入者情報記憶手段で記憶された購入者情報の支払可能条件に関する情報に基づいて、前記商品情報取得手段で取得された商品購入情報の購入商品の代金を支払可能か否かを判断する支払可能判断手段、
前記支払可能判断手段が支払可能と判断したとき、前記商品情報取得手段で取得された商品購入情報の販売者情報を前記販売者情報記憶手段で記憶された販売者情報と照合する販売者照合手段、
前記販売者照合手段で照合された販売者情報に対応する前記販売者端末に支払可能情報を送信する支払可能送信手段、
前記支払可能送信手段が支払可能情報を送信後、前記購入者端末に対応する購入者に前記購入商品を引き渡した旨の商品引渡情報を前記販売者端末から取得する引渡情報取得手段、
前記引渡情報取得手段で取得された商品引渡情報に対応する前記購入商品の代金を前記販売者端末に対応する販売者に支払った後、その代金の請求情報を前記購入者端末に送信する代金請求送信手段として、
機能させるための商品代金支払プログラム。
【発明の詳細な説明】
【技術分野】
【０００１】
本発明は、購入者端末と販売者端末とが接続される通信ネットワークを介して購入商品の代金の支払を行うための商品代金支払システム、商品代金支払方法および商品代金支払プログラムに関する。
【背景技術】
【０００２】
従来の商品代金支払システムとして、利用者が携帯電話から個人認証データおよび店舗コードを管理センタに送信し、管理センタが認証を行って携帯電話および店舗に通知し、携帯電話から代金情報を受信して店舗の承認を得た後、金融機関に依頼して商品代金の引き落としを行うものがある（例えば、特許文献１参照）。
【０００３】
【特許文献１】特開２００２−３３４２８８号公報
【発明の開示】
【発明が解決しようとする課題】
【０００４】
しかしながら、特許文献１記載の商品代金支払システムでは、利用者に支払能力があっても金融機関の口座に残高がないときには、商品代金の引き落としができないため支払ができず、商品の売買ができないという課題があった。このため、クレジットカードによる一括または分割の代金後払いシステムの利用者には、使い勝手が悪かった。
【０００５】
本発明は、このような課題に着目してなされたもので、いつでも迅速に商品の売買を行うことができる商品代金支払システム、商品代金支払方法および商品代金支払プログラムを提供することを目的とする。
【課題を解決するための手段】
【０００６】
上記目的を達成するために、本発明に係る商品代金支払システムは、購入者端末と販売者端末とが接続される通信ネットワークを介して購入商品の代金の支払を行うための商品代金支払システムであって、前記購入者端末に対応する購入者の識別番号、パスワードおよび支払可能条件に関する情報を含む購入者情報を記憶する購入者情報記憶手段と、前記販売者端末に対応する販売者の識別番号を含む販売者情報を記憶する販売者情報記憶手段と、前記購入者端末から識別番号およびパスワードの識別情報を取得する識別情報取得手段と、前記識別情報取得手段で取得された識別情報を前記購入者情報記憶手段で記憶された購入者情報の識別番号およびパスワードと照合する購入者照合手段と、前記購入者照合手段で照合された識別番号およびパスワードに対応する前記購入者端末に、購入商品の代金および販売者情報を含む商品購入情報を入力するよう依頼する入力依頼情報を送信する入力依頼送信手段と、前記入力依頼送信手段で送信された入力依頼情報に応じて、前記購入者端末から前記商品購入情報を取得する商品情報取得手段と、前記購入者端末に対応する前記購入者情報記憶手段で記憶された購入者情報の支払可能条件に関する情報に基づいて、前記商品情報取得手段で取得された商品購入情報の購入商品の代金を支払可能か否かを判断する支払可能判断手段と、前記支払可能判断手段が支払可能と判断したとき、前記商品情報取得手段で取得された商品購入情報の販売者情報を前記販売者情報記憶手段で記憶された販売者情報と照合する販売者照合手段と、前記販売者照合手段で照合された販売者情報に対応する前記販売者端末に支払可能情報を送信する支払可能送信手段と、前記支払可能送信手段が支払可能情報を送信後、前記購入者端末に対応する購入者に前記購入商品を引き渡した旨の商品引渡情報を前記販売者端末から取得する引渡情報取得手段と、前記引渡情報取得手段で取得された商品引渡情報に対応する前記購入商品の代金を前記販売者端末に対応する販売者に支払った後、その代金の請求情報を前記購入者端末に送信する代金請求送信手段とを有することを、特徴とする。
【０００７】
本発明に係る商品代金支払方法は、購入者端末と販売者端末とが接続される通信ネットワークを介して購入商品の代金の支払を行うための商品代金支払方法であって、前記購入者端末に対応する購入者の識別番号、パスワードおよび支払可能条件に関する情報を含む購入者情報を記憶する購入者情報記憶ステップと、前記販売者端末に対応する販売者の識別番号を含む販売者情報を記憶する販売者情報記憶ステップと、前記購入者端末から識別番号およびパスワードの識別情報を取得する識別情報取得ステップと、前記識別情報取得ステップで取得された識別情報を前記購入者情報記憶ステップで記憶された購入者情報の識別番号およびパスワードと照合する購入者照合ステップと、前記購入者照合ステップで照合された識別番号およびパスワードに対応する前記購入者端末に、購入商品の代金および販売者情報を含む商品購入情報を入力するよう依頼する入力依頼情報を送信する入力依頼送信ステップと、前記入力依頼送信ステップで送信された入力依頼情報に応じて、前記購入者端末から前記商品購入情報を取得する商品情報取得ステップと、前記購入者端末に対応する前記購入者情報記憶ステップで記憶された購入者情報の支払可能条件に関する情報に基づいて、前記商品情報取得ステップで取得された商品購入情報の購入商品の代金を支払可能か否かを判断する支払可能判断ステップと、前記支払可能判断ステップが支払可能と判断したとき、前記商品情報取得ステップで取得された商品購入情報の販売者情報を前記販売者情報記憶ステップで記憶された販売者情報と照合する販売者照合ステップと、前記販売者照合ステップで照合された販売者情報に対応する前記販売者端末に支払可能情報を送信する支払可能送信ステップと、前記支払可能送信ステップが支払可能情報を送信後、前記購入者端末に対応する購入者に前記購入商品を引き渡した旨の商品引渡情報を前記販売者端末から取得する引渡情報取得ステップと、前記引渡情報取得ステップで取得された商品引渡情報に対応する前記購入商品の代金を前記販売者端末に対応する販売者に支払った後、その代金の請求情報を前記購入者端末に送信する代金請求送信ステップとを有することを、特徴とする。
【０００８】
本発明に係る商品代金支払プログラムは、購入者端末と販売者端末とが接続される通信ネットワークを介して購入商品の代金の支払を行うための商品代金支払プログラムであって、コンピュータを前記購入者端末に対応する購入者の識別番号、パスワードおよび支払可能条件に関する情報を含む購入者情報を記憶する購入者情報記憶手段、前記販売者端末に対応する販売者の識別番号を含む販売者情報を記憶する販売者情報記憶手段、前記購入者端末から識別番号およびパスワードの識別情報を取得する識別情報取得手段、前記識別情報取得手段で取得された識別情報を前記購入者情報記憶手段で記憶された購入者情報の識別番号およびパスワードと照合する購入者照合手段、前記購入者照合手段で照合された識別番号およびパスワードに対応する前記購入者端末に、購入商品の代金および販売者情報を含む商品購入情報を入力するよう依頼する入力依頼情報を送信する入力依頼送信手段、前記入力依頼送信手段で送信された入力依頼情報に応じて、前記購入者端末から前記商品購入情報を取得する商品情報取得手段、前記購入者端末に対応する前記購入者情報記憶手段で記憶された購入者情報の支払可能条件に関する情報に基づいて、前記商品情報取得手段で取得された商品購入情報の購入商品の代金を支払可能か否かを判断する支払可能判断手段、前記支払可能判断手段が支払可能と判断したとき、前記商品情報取得手段で取得された商品購入情報の販売者情報を前記販売者情報記憶手段で記憶された販売者情報と照合する販売者照合手段、前記販売者照合手段で照合された販売者情報に対応する前記販売者端末に支払可能情報を送信する支払可能送信手段、前記支払可能送信手段が支払可能情報を送信後、前記購入者端末に対応する購入者に前記購入商品を引き渡した旨の商品引渡情報を前記販売者端末から取得する引渡情報取得手段、前記引渡情報取得手段で取得された商品引渡情報に対応する前記購入商品の代金を前記販売者端末に対応する販売者に支払った後、その代金の請求情報を前記購入者端末に送信する代金請求送信手段として、機能させる。
【０００９】
本発明に係る商品代金支払システム、商品代金支払方法および商品代金支払プログラムは、あらかじめ記憶した購入者の支払可能条件に関する情報に基づいて支払い可能か否かを判断し、支払可能情報を販売者端末に送信するため、迅速に商品の引き渡しを行うことができる。また、その商品の商品引渡情報を販売者端末から取得した後、その商品の代金を販売者に支払うため、迅速に商品代金の支払いを行うことができる。このように、利用者の金融機関の口座に残高がないときでも商品の支払いが可能であり、いつでも迅速に商品の売買を行うことができる。
【００１０】
購入者端末から購入者の識別番号およびパスワードを取得し、あらかじめ記憶したものと照合することにより売買を行うため、クレジットカードやデビットカードなどで売買を行う場合に比べて安全性が高い。また、店頭にクレジットカードやデビットカード用の読取機器などを置いたり、カードの使用料をカード会社に払ったりする必要がなく、安価に実施することができる。
【００１１】
支払可能条件は、利用限度額などの情報から成っている。また、支払可能条件にあらかじめ分割払いや一括払いなどの条件を設定しておき、購入者が支払方法を選択可能であってもよい。購入商品の販売者への支払いおよび請求情報に対する購入者の支払いは、口座引落や銀行振込などいかなる支払方法であってもよい。
【００１２】
本発明に係る商品代金支払システム、商品代金支払方法および商品代金支払プログラムで、前記購入者端末は携帯電話から成り、前記購入者端末に対応する購入者の識別番号は前記携帯電話の電話番号から成ることが好ましい。この場合、普段持ち歩いている携帯電話により、手軽に商品を購入することができる。また、店頭でも現金やクレジットカードなどによらず、商品を購入することができる。購入者や販売店が新たな設備投資をする必要がなく、安価に実施することができる。
【発明の効果】
【００１３】
本発明によれば、いつでも迅速に商品の売買を行うことができる商品代金支払システム、商品代金支払方法および商品代金支払プログラムを提供することができる。
【発明を実施するための最良の形態】
【００１４】
以下、図面に基づき、本発明の実施の形態について説明する。
図１乃至図３は、本発明の実施の形態の商品代金支払システムを示している。なお、本発明の実施の形態の商品代金支払方法は、その商品代金支払システムにより実行される方法であり、商品代金支払プログラムを記録したハードディスク、ＣＤ−ＲＯＭ、フレキシブルディスクなどのコンピュータ読み取り可能な記録媒体によりコンピュータに実行させることができる。
【００１５】
図１に示すように、インターネットなどの通信ネットワーク１には、電話回線などを経由して商品代金支払システムのサーバ２、購入者端末３および販売者端末４が接続されている。サーバ２は、仲介業者や金融機関、クレジットカード会社などにより運営される。購入者端末３は携帯電話３ａまたは固定式加入電話３ｂから成り、販売者端末４は携帯電話４ａ、クレジットカードやデビットカード用の読取装置４ｂ、または固定式加入電話４ｃから成っている。なお、購入者端末３および販売者端末４は、パーソナル・コンピュータや携帯情報端末（ＰＤＡ）などから成ってもよい。
【００１６】
図２に示すように、サーバ２は、通信ネットワーク１を介して各種情報を取得する受信手段１１と、通信ネットワーク１を介して各種情報を送信する送信手段１２と、各種ファイルを記憶する記憶手段１３と、演算機能および制御機能を有する主制御部１４とを有している。また、キーボードやマウスなどから成る入力手段や、モニタやプリンタから成る出力手段も有している。
【００１７】
受信手段１１は、通信ネットワーク１に接続され、識別情報取得手段１５と商品情報取得手段１６と引渡情報取得手段１７とを有している。識別情報取得手段１５は、購入者端末３から識別番号およびパスワードを取得するよう構成されている。商品情報取得手段１６は、購入者端末３から購入商品の代金、販売者の識別番号および支払方法を取得するよう構成されている。引渡情報取得手段１７は、購入者に購入商品を引き渡した旨の商品引渡情報を販売者端末４から取得するよう構成されている。
【００１８】
送信手段１２は、通信ネットワーク１に接続され、入力依頼送信手段１８と支払可能送信手段１９と代金請求送信手段２０とを有している。入力依頼送信手段１８は、購入商品の代金、販売者の識別番号および支払方法を入力するよう依頼する入力依頼情報を購入者端末３に送信するよう構成されている。支払方法は、口座引落、銀行振込、郵便振替などの支払手段や、一括払い、分割払いなどの支払回数から成っている。支払可能送信手段１９は、購入商品の代金の支払が可能である旨を含む支払可能情報を販売者端末４に送信するよう構成されている。代金請求送信手段２０は、販売者に支払った購入商品の代金の請求情報を購入者端末３に送信するよう構成されている。請求情報は、支払方法に応じて請求書、振込用紙または口座引落通知などから成っている。
【００１９】
記憶手段１３は、メモリから成り、購入者情報記憶手段２１と販売者情報記憶手段２２とを有している。購入者情報記憶手段２１は、購入者端末３に対応する購入者の識別番号、パスワードおよび利用限度額の情報を記憶している。購入者の識別番号は、携帯電話や固定式加入電話の電話番号から成っている。販売者情報記憶手段２２は、販売者端末４に対応する販売者の識別番号を記憶している。
【００２０】
主制御部１４は、ＣＰＵから成り、受信手段１１や記憶手段１３、入力手段からデータを受け取り、演算・加工して送信手段１２や記憶手段１３、出力手段に引き渡すよう構成されている。主制御部１４は、購入者照合手段２３と支払可能判断手段２４と販売者照合手段２５とを機能として有している。購入者照合手段２３は、識別情報取得手段１５で取得された識別番号およびパスワードを、購入者情報記憶手段２１に記憶した識別番号およびパスワードと照合するよう構成されている。支払可能判断手段２４は、購入者情報記憶手段２１に記憶した支払限度額の情報に基づいて、商品情報取得手段１６で取得された商品購入情報の購入商品の代金を支払可能か否かを判断するよう構成されている。支払可能判断手段２４は、購入商品の代金が支払限度額の範囲内であるとき支払可能、購入商品の代金が支払限度額を超えるとき支払できないと判断するよう構成されている。販売者照合手段２５は、商品情報取得手段１６で取得された販売者の識別番号を、販売者情報記憶手段２２に記憶した販売者の識別番号と照合するよう構成されている。
【００２１】
次に、図３を参照して商品代金支払システムの処理手順について説明する。
サーバ２は、あらかじめ、商品代金支払システムを利用する購入者の識別番号、パスワードおよび支払限度額の情報を購入者端末３から取得する（ステップ３１）。同様に、商品代金支払システムを利用する販売者の識別番号を販売者端末４から取得する（ステップ３２）。取得した各情報を確認して承認を行い、それぞれ購入者情報記憶手段２１および販売者情報記憶手段２２に記憶する（ステップ３３）。購入者端末３および販売者端末４に、各情報を登録した旨の通知を行う（ステップ３４）。
【００２２】
購入者は、商品を購入するとき、購入者端末３からサーバ２に識別番号を送信する（ステップ３５）。サーバ２は、識別情報取得手段１５により購入者端末３からその識別番号を取得し、購入者照合手段２３により、購入者情報記憶手段２１に記憶した識別番号と照合する（ステップ３６）。識別番号の照合後、購入者端末３にパスワードの入力を促す画面を表示させる（ステップ３７）。購入者は、その表示に従い、購入者端末３にパスワードを入力する（ステップ３８）。サーバ２は、識別情報取得手段１５により購入者端末３からそのパスワードを取得し、購入者照合手段２３により、ステップ３６で照合した識別番号に対応する購入者情報記憶手段２１に記憶したパスワードと照合する（ステップ３９）。
【００２３】
パスワードの照合後、入力依頼送信手段１８により、購入商品の代金、販売者の識別番号および支払方法を入力するよう依頼する入力依頼情報を、購入者端末３に送信する（ステップ４０）。購入者は、その入力依頼情報に応じて、購入者端末３に各情報を入力する（ステップ４１）。サーバ２は、商品情報取得手段１６により購入者端末３から各情報を取得する（ステップ４２）。購入者情報記憶手段２１に記憶した支払限度額の情報に基づいて、取得した購入商品の代金を支払可能か否かを、支払可能判断手段２４により判断する。支払可能と判断すると、取得した購入商品の代金、販売者の識別番号および支払方法と、購入者の識別番号とを関連づける購買番号を付与する。また、取得した販売者の識別番号を、販売者照合手段２５により、販売者情報記憶手段２２に記憶した販売者の識別番号と照合する（ステップ４３）。
【００２４】
販売者の識別番号の照合後、購入商品の代金、購買番号、および代金の支払が可能である旨の支払可能情報を、支払可能送信手段１９により、照合した販売者の販売者端末４に送信する（ステップ４４）。販売者は、その支払可能情報を確認して承認し（ステップ４５）、購入者に購入商品を引き渡す（ステップ４６）。また、購入者に購入商品を引き渡した旨の商品引渡情報および購買番号を、販売者端末４からサーバ２に送信する（ステップ４７）。
【００２５】
サーバ２は、商品引渡情報および購買番号を、引渡情報取得手段１７により販売者端末４から取得する（ステップ４８）。取得した購買番号に対応する購入商品の代金を、口座引落や銀行振込などの方法により、その購買番号に対応する販売者に支払う（ステップ４９）。その購買番号と、それに関連づけられた各情報とを購買履歴情報としてデータベースに保存する（ステップ５０）。その購買番号に対応する購入者の購入者端末３に、代金請求送信手段２０により、支払った購入商品の代金の請求情報を送信する（ステップ５１）。購入者は、送信された請求情報に応じて、購入商品の代金を支払う（ステップ５２）。
【００２６】
この商品代金支払システム、商品代金支払方法および商品代金支払プログラムは、あらかじめ記憶した購入者の支払限度額の情報に基づいて支払い可能か否かを判断し、支払可能情報を販売者端末４に送信するため、迅速に商品の引き渡しを行うことができる。また、その商品の商品引渡情報を販売者端末４から取得した後、その商品の代金を販売者に支払うため、迅速に商品代金の支払いを行うことができる。このように、利用者の金融機関の口座に残高がないときでも商品の支払いが可能であり、いつでも迅速に商品の売買を行うことができる。
【００２７】
購入者端末３から購入者の識別番号およびパスワードを取得し、あらかじめ記憶したものと照合することにより売買を行うため、クレジットカードやデビットカードなどで売買を行う場合に比べて安全性が高い。また、普段持ち歩いている携帯電話３ａを利用して、手軽に商品を購入することができる。店頭でも現金やクレジットカードなどによらず、商品を購入することができる。
【００２８】
店頭にクレジットカードやデビットカード用の読取機器４ｂなどを新たに置いたり、カードの使用料をカード会社に払ったりする必要がない。また、既に店頭に設置してある読取装置４ｂをそのまま利用することもできる。このため、購入者や販売店が新たに設備投資などの費用をかけることなく、安価に実施することができる。
【図面の簡単な説明】
【００２９】
【図１】本発明の実施の形態の商品代金支払システムの全体構成を示す説明図である。
【図２】図１に示す商品代金支払システムのサーバの構成を示すブロック図である。
【図３】図１に示す商品代金支払システムの処理手順を示すフローチャートである。
【符号の説明】
【００３０】
１    通信ネットワーク
２    サーバ
３    購入者端末
４    販売者端末
１１  受信手段
１２  送信手段
１３  記憶手段
１４  主制御部
１５  識別情報取得手段
１６  商品情報取得手段
１７  引渡情報取得手段
１８  入力依頼送信手段
１９  支払可能送信手段
２０  代金請求送信手段
２１  購入者情報記憶手段
２２  販売者情報記憶手段
２３  購入者照合手段
２４  支払可能判断手段
２５  販売者照合手段
【図１】
2006031401.tif 000003
【図２】
2006031401.tif 000004
【図３】
2006031401.tif 000005